(57)【要約】【課題】入力キーの押圧時に、良好なクリック感を実現することができると共に、入力キーの照光輝度（特に入力キー中央部の照光輝度）を向上させることができ、薄型化が可能なキーモジュール及び該キーモジュールを備えた電子機器の提供を課題とする。【解決手段】入力キー１０と、導光板２０と、光源４０と、前記導光板２０の下方に位置し、前記入力キー１０の動作に従動してスイッチオン、スイッチオフするドーム状のスイッチ動作子３１を有する可動接点シート３０を備えた回路基板５０と、を含むキーモジュール２であって、前記導光板２０には、前記入力キー１０に対応する位置に貫通孔２２を設け、前記可動接点シート３０には、前記スイッチ動作子３１に対応する位置から前記貫通孔２２の上方へ突出させる形で、前記入力キー１０の押圧を受ける受圧突起３２を設けてある。【選択図】      図３
2011150804.tif 000002
【特許請求の範囲】
【請求項１】
所定の指令を入力するための入力キーと、該入力キーの下方に位置し、光源から肉厚内に入射した光を導光しながら前記入力キーに対応する位置で散乱させて照光を行う導光板と、該導光板に光を入射させる光源と、前記導光板の下方に位置し、前記入力キーの動作に従動してスイッチオン、スイッチオフするドーム状のスイッチ動作子を有する可動接点シートを備えた回路基板と、を含むキーモジュールであって、前記導光板には、前記入力キーに対応する位置に貫通孔を設け、前記可動接点シートには、前記スイッチ動作子に対応する位置から前記貫通孔の上方へ突出させる形で、前記入力キーの押圧を受ける受圧突起を設けてあることを特徴とするキーモジュール。
【請求項２】
前記スイッチ動作子を、前記貫通孔内に臨むように配置してあることを特徴とする請求項１に記載のキーモジュール。
【請求項３】
前記受圧突起は、水平断面が略円形若しくは多角形で、且つ外形が上方へ向かって先細に膨出する略半楕円球状からなることを特徴とする請求項１又は２に記載のキーモジュール。
【請求項４】
前記受圧突起は、前記光源から入射させた光を散乱させる散乱材を含有する透明の樹脂からなることを特徴とする請求項１〜３の何れか１項に記載のキーモジュール。
【請求項５】
前記導光板は、上面若しくは下面に、前記光源から入射させた光を外部へ出射させる光出射構造部を備えていることを特徴とする請求項１〜４の何れか１項に記載のキーモジュール。
【請求項６】
請求項１〜５の何れか１項に記載のキーモジュールを備えることを特徴とする電子機器。
【発明の詳細な説明】
【技術分野】
【０００１】
本発明は、キーモジュール及び該キーモジュールを備えた電子機器に関する。
【背景技術】
【０００２】
携帯電話機をはじめとする電子機器において、その一様な照光には導光板が用いられている。導光板にはポリカーボネートやポリウレタンが用いられることが多く、その厚みは一般的に０．１ｍｍ〜０．２ｍｍである。導光板による照光輝度は、導光板の厚みが厚肉なものほど光の取り込み量が増し、照光輝度が高まる傾向にある。
一方、入力キーとドームスイッチとの間に導光板を配置する携帯電話機等においては、入力キーの押圧時に、導光板を介してドームスイッチが押圧される構造のため、導光板が厚肉なものほど、入力時の感触（以下、クリック感とする。）が低下し、誤入力（未入力等）を生じ易いと共に、電子機器の薄型化（小型化）が困難となる。
よって照光輝度を向上させると共に、クリック感を満たし、薄型化を可能とする技術の開発が課題となっていた。
照光輝度及びクリック感の向上や、薄型化を可能とする従来技術として、例えば下記特許文献１、２がある。
【先行技術文献】
【特許文献】
【０００３】
【特許文献１】特開２００４−３５６０２８号公報
【特許文献２】特開２００８−２３５０１３号公報
【発明の概要】
【発明が解決しようとする課題】
【０００４】
上記特許文献１は、押釦スイッチ装置に関する発明で、小型化された押釦スイッチ装置の光輝構造に関する技術が開示されている。
しかしながら、放光部７Ｃから出射される光のうち、キーパッド１の中央部に到達する光が少ないと共に、空洞７Ｄの中央部付近では、略球状に形成されたドーム状金属バネ接点２が、導光部材７と平行となっていることから、キーパッド１方向への反射角を得ることができず、キーパッド１の中央部の照光が困難であった。よってキーパッド１の中央部と周辺部とで照光輝度に不均一が生じるという問題があった。
また上記特許文献２は、入力モジュールおよび携帯機器に関する発明で、入力ボタンの十分なクリック感および均一な発光を確保しつつ、薄型化を可能とする技術が開示されている。
しかしながら、入力キー７の導光板１６に対向する面に、入力キー７の平面形状よりも小さい平面形状を有する凸部１８を形成する構成であることから、入力キー７を押圧しない時に光が受けられるような詳細な設計が必要となり、簡便な設計が困難であるという問題があった。また携帯機器の筐体を介しての位置決めが必要となる入力キー７側においては、導光板１６の穴１６Ｂに凸部１８を合わせて組み上げる際、位置合わせが困難なことから、製造効率が悪いという問題があった。
更に近年においては、携帯機器のデザインが多様化し、入力キー側に凸部を形成するようなデザインに対応できない入力キーも存在し、入力キーに自由度を持たせることができず、汎用性に乏しいという問題があった。
【０００５】
そこで本発明は上記従来における問題点を解決し、入力キーの押圧時に、良好なクリック感を実現することができると共に、入力キーの照光輝度（特に入力キー中央部の照光輝度）を向上させることができ、薄型化が可能なキーモジュール及び該キーモジュールを備えた電子機器の提供を課題とする。
【課題を解決するための手段】
【０００６】
本発明のキーモジュールは、所定の指令を入力するための入力キーと、該入力キーの下方に位置し、光源から肉厚内に入射した光を導光しながら前記入力キーに対応する位置で散乱させて照光を行う導光板と、該導光板に光を入射させる光源と、前記導光板の下方に位置し、前記入力キーの動作に従動してスイッチオン、スイッチオフするドーム状のスイッチ動作子を有する可動接点シートを備えた回路基板と、を含むキーモジュールであって、前記導光板には、前記入力キーに対応する位置に貫通孔を設け、前記可動接点シートには、前記スイッチ動作子に対応する位置から前記貫通孔の上方へ突出させる形で、前記入力キーの押圧を受ける受圧突起を設けてあることを第１の特徴としている。
【０００７】
上記本発明の第１の特徴によれば、キーモジュールは、所定の指令を入力するための入力キーと、該入力キーの下方に位置し、光源から肉厚内に入射した光を導光しながら前記入力キーに対応する位置で散乱させて照光を行う導光板と、該導光板に光を入射させる光源と、前記導光板の下方に位置し、前記入力キーの動作に従動してスイッチオン、スイッチオフするドーム状のスイッチ動作子を有する可動接点シートを備えた回路基板と、を含むキーモジュールであって、前記導光板には、前記入力キーに対応する位置に貫通孔を設け、前記可動接点シートには、前記スイッチ動作子に対応する位置から前記貫通孔の上方へ突出させる形で、前記入力キーの押圧を受ける受圧突起を設けてあることから、導光板を介することなく、入力キーの押圧力を可動接点シートに設けてある受圧突起を介してスイッチ動作子に伝達することができる。よって入力キーの押圧時に、スイッチ動作子の変形をより直接的に感じることができる。従って良好なクリック感を実現することができると共に、入力キーの誤入力を防止することができる。また可動接点シートに受圧突起を設ける構成とすることで、入力キーのデザインに自由度を持たせることができ、汎用性の高いキーモジュールとすることができる。
【０００８】
また本発明のキーモジュールは、上記本発明の第１の特徴に加えて、前記スイッチ動作子を、前記貫通孔内に臨むように配置してあることを第２の特徴としている。
【０００９】
上記本発明の第２の特徴によれば、上記本発明の第１の特徴による作用効果に加えて、前記スイッチ動作子を、前記貫通孔内に臨むように配置してあることから、導光板の厚肉化とキーモジュールの薄肉化とを同時に実現することができる。また導光板の厚肉化を実現できることで、入力キーの照光輝度を向上させることができる。
【００１０】
また本発明のキーモジュールは、上記本発明の第１又は第２の特徴に加えて、前記受圧突起は、水平断面が略円形若しくは多角形で、且つ外形が上方へ向かって先細に膨出する略半楕円球状からなることを第３の特徴としている。
【００１１】
上記本発明の第３の特徴によれば、上記本発明の第１又は第２の特徴による作用効果に加えて、前記受圧突起は、水平断面が略円形若しくは多角形で、且つ外形が上方へ向かって先細に膨出する略半楕円球状からなることから、導光板における貫通孔の側面部分から出射される光を、受圧突起の表面で、入力キー方向（特に入力キー中央部方向）へ効率良く反射・散乱させることができる。よって入力キー（特に入力キー中央部方向）の照光輝度を一段と向上させることができる。
また入力キーの押圧力を、スイッチ動作子に効率的に伝達できると共に、強度の高い受圧突起とすることができる。
【００１２】
また本発明のキーモジュールは、上記本発明の第１〜第３の何れか１つの特徴に加えて、前記受圧突起は、前記光源から入射させた光を散乱させる散乱材を含有する透明の樹脂からなることを第４の特徴としている。
【００１３】
上記本発明の第４の特徴によれば、上記本発明の第１〜第３の何れか１つの特徴による作用効果に加えて、前記受圧突起は、前記光源から入射させた光を散乱させる散乱材を含有する透明の樹脂からなることから、導光板における貫通孔の側面部分から出射される光のうち、受圧突起の表面で入力キー方向へ反射・散乱されなかった光を、受圧突起の内部に進入させ、入力キー方向へ反射・散乱させることができる。よって入力キーの照光輝度を更に一段と向上させることができる。
【００１４】
また本発明のキーモジュールは、上記本発明の第１〜第４の何れか１つの特徴に加えて、前記導光板は、上面若しくは下面に、前記光源から入射させた光を外部へ出射させる光出射構造部を備えていることを第５の特徴としている。
【００１５】
上記本発明の第５の特徴によれば、上記本発明の第１〜第４の何れか１つの特徴による作用効果に加えて、前記導光板は、上面若しくは下面に、前記光源から入射させた光を外部へ出射させる光出射構造部を備えていることから、導光板による入力キーの照光輝度を効率良く向上させることができる。
【００１６】
また本発明の電子機器は、第１〜第５の何れか１つの特徴に記載のキーモジュールを備えることを第６の特徴としている。
【００１７】
上記本発明の第６の特徴によれば、電子機器は、第１〜第５の何れか１つの特徴に記載のキーモジュールを備えることから、入力キーの押圧時に、良好なクリック感を実現することができると共に、誤入力を防止することができ、また入力キーの照光輝度を向上させることができると共に、薄型化が可能な電子機器とすることができる。
【発明の効果】
【００１８】
本発明のキーモジュール及び該キーモジュールを備えた電子機器によれば、入力キーの押圧時に、良好なクリック感を実現することができると共に、入力キーの照光輝度（特に入力キー中央部の照光輝度）を向上させることができ、薄型化が可能なキーモジュールを提供することができる。またそのようなキーモジュールを備えた電子機器を提供することができる。
【図面の簡単な説明】
【００１９】
【図１】本発明の実施形態に係る電子機器としての携帯電話機を示す斜視図である。
【図２】本発明の実施形態に係る電子機器としての携帯電話機のキーモジュールの平面図である。
【図３】図２に示すキーモジュールにおける要部の断面図である。
【図４】携帯電話機に使用される従来のキーモジュールを示す要部の断面図である。
【発明を実施するための形態】
【００２０】
図１〜図４を参照して、本発明に係る電子機器の例として、携帯電話機１をあげて説明し、本発明の理解に供する。しかし、以下の説明は本発明の特許請求の範囲に記載の発明を限定するものではない。
【００２１】
まず図１に示すように、携帯電話機１は、入力部１ａと、表示部１ｂとを備える。表示部１ｂは、ヒンジ部１ｃを介して入力部１ａに開閉自在とされている。
【００２２】
図２、図３も参照して、前記入力部１ａには、ケース１ｄ内に入力モジュールとしてのキーモジュール２を備えている。キーモジュール２は、入力キー１０、導光板２０、可動接点シート３０、光源４０、回路基板５０を備えている。
【００２３】
前記入力キー１０は、所定の指令を入力するためのキーで、前記入力部１ａに露出した入力キー１１〜１３で構成されている。なお、ここで入力キー１１〜１３は、図２に示すように、碁盤の目状に配置してある入力キー１０において、光源４０に最も近い側に配置するものを入力キー１１とし、最も遠い側に配置するものを入力キー１３とする。
【００２４】
入力キー１０は、透明性の硬質樹脂で形成され、数字、アルファベット、記号等の特定の形状が視認可能に設けられている。数字、アルファベット、記号等の特定の形状の形成方法は、特定の形状を遮光性材料でマークするものや、特定の形状以外を遮光性材料でマークするものの何れであってもよい。
【００２５】
前記導光板２０は、図３に示すように、回路基板５０と入力キー１０との間に配置され、光源４０から肉厚内に入射させた光を導光しながら所定位置で外部へ出射させ、照光を行うためのものである。
より具体的には、図３に示すように、導光板２０は、光源４０の照光端面４１から放たれた光を導光板２０の光入射端面２１から入射させて、導光板２０の厚み内で全反射させながら入射側とは反対側まで導光すると共に、入力キー１０方向へ出射し、これにより入力キー１０の照光を行う。
また図３に示すように、導光板２０において、所定位置となる、入力キー１０に対応する位置には、厚み方向に貫通する貫通孔２２を設けている。
なお貫通孔２２は、打ち抜き加工等で形成することができる。
【００２６】
また図３に示すように、導光板２０の下面２３における照光領域には、導光板２０を通過してきた光を入力キー１０方向へ散乱、回折させて出射させる凸状のドットからなる光出射構造部２４を複数備える構成としてある。
なお、ここで及び以下の説明において「照光領域」とは、導光板２０において、入力キー１０方向へ照光を行う領域を指すものとする。
このような構成とすることで、導光板２０を通過してきた光を物理的な凸形状のパターンの位置で確実に散乱させて入力キー１０方向へ出射させることができる。よって入力キー１０の照光輝度を効率良く向上させることができる。
この凸状のドットからなる光出射構造部２４は、例えば光散乱剤の含有されたインクによる印刷パターンで形成することができる。
【００２７】
なお光出射構造部２４は、必ずしも凸状のドットで形成する構成に限るものではなく凹状のドットで形成する構成でもよいし、ホットスタンピング、射出成形、マイクロブラスト、その他の方法で成形することが可能である。
また光出射構造部２４の配置位置は、導光板２０の下面２３の照光領域に限るものではなく、上面２５の照光領域であってもよい。また光出射構造部２４の形状、大きさ、数、隣接する光出射構造部２４の距離等も本実施形態のものに限るものではなく、適宜変更可能である。
また光出射構造部２４を設けない構成であってもよい。
【００２８】
また導光板２０は、ポリカーボネート、ポリウレタン、ポリメタクリル酸メチル樹脂等、可視光域の光を十分透過させることができる樹脂で形成することができる。
なお導光板２０の厚みは、２０μｍ〜３００μｍとすることが望ましい。
【００２９】
前記可動接点シート３０は、いわゆるドームスイッチの層を形成するものである。この可動接点シート３０は、図３に示すように、メタルドームと称する導電性金属からなるドーム状のスイッチ動作子３１を入力キー１０の下方に有し、回路基板５０の上面部を被覆するように配設されている。ドーム状のスイッチ動作子３１が、入力キー１０の動作に従動し、回路基板５０と接触、非接触されることで、キーモジュール２のスイッチオン、スイッチオフが行われる。
また図３に詳しく図示していないが、可動接点シート３０における導光板２０側の表面は、白色に着色されている。このような構成とすることで、導光板２０から下方へ漏れ出た光を上方へ効率良く反射させることができる。
【００３０】
また図３に示すように、可動接点シート３０には、スイッチ動作子３１に対応する位置から貫通孔２２の上方へ突出させる形で、入力キー１０の押圧を受ける受圧突起３２を設けてある。
このような構成とすることで、導光板２０を介することなく、入力キー１０の押圧力を受圧突起３２を介してスイッチ動作子３１に伝達することができる。よって入力キー１０の押圧時に、スイッチ動作子３１の変形をより直接的に感じることができる。従って良好なクリック感を実現することができると共に、入力キー１０の誤入力を防止することができる。また可動接点シート３０に受圧突起３２を設ける構成とすることで、入力キーのデザインに自由度を持たせることができ、汎用性の高いキーモジュール２とすることができる。
【００３１】
また図３に示すように、スイッチ動作子３１を、貫通孔２２内に臨むように配置してある。このような構成とすることで、ドーム状のスイッチ動作子３１及びスイッチ動作子３１部分を被覆する可動接点シート３０の大部分を、貫通孔２２内に入り込ませて配置させることができる。よってキーモジュール２の薄肉化と導光板２０の厚肉化を同時に実現することができる。また導光板２０の厚肉化を実現できることで、光源４０から導光板２０内に入射する光の取り込み量を増加させることができ、導光板２０の照光輝度を向上させることができる。
【００３２】
つまり図４に示すように、入力キー１０とスイッチ動作子３１との間に導光板２０を配置する従来のキーモジュール３においては、入力キー１０の押圧時に、導光板２０を介してスイッチ動作子３１が押圧される構造である。よって照光輝度を高めるべく、導光板２０を厚肉なものとした場合、入力時のクリック感が低下し、誤入力（未入力等）を生じ易いと共に、キーモジュール３は厚肉化する。よって良好なクリック感及び導光板２０の厚肉化とキーモジュール３の薄肉化とを同時に実現することはできなかった。
なお図４におけるキーモジュール３において、キーモジュール２と同一部材、同一機能を果たすものには同一番号を付している。
【００３３】
また図２、図３に示すように、受圧突起３２は、水平断面を円形とし、且つ外形を上方となる入力キー１０方向へ向かって先細に膨出する略半楕円球状としてある。このような構成とすることで、受圧突起３２の表面３２ａを、入力キー１０の中心に向かう曲面とすることができる。よって導光板２０における貫通孔２２の側面部分から出射される光を、入力キー１０方向へ多様な反射角で反射・散乱させることができる。従って一段と効率良く入力キー１０の照光輝度を向上させることができる。更に入力キー１０の中央部を十分に照光することができ、入力キー１０の中央部と周辺部とで照光輝度に不均一が生じることを防止することができる。よって入力キー１０の輝度均一化を図ることができる。
なお図２においては、複数個設ける受圧突起３２のうち、１個のみを示すものとする。
【００３４】
また受圧突起３２を、入力キー１０方向へ向かって先細に膨出する略半楕円球状とすることで、受圧突起３２において、上面となる入力キー１０に対向する面の面積を小さく、下面となる可動接点シート３０との接着面の面積を大きくすることができる。よって小さな押圧力であっても、入力キー１０の押圧力を効率的にスイッチ動作子３１に伝達することができる。従って高齢者や女性にとっても操作性が高く、誤入力を防止することができるキーモジュール２とすることができる。更に受圧突起３２の強度を向上させることができる。
【００３５】
また図３には詳しく図示していないが、受圧突起３２は、光源４０から入射させた光（特に白色光）を散乱させる散乱材を含有する透明の樹脂で形成してある。このような構成とすることで、導光板２０における貫通孔２２の側面部分から出射してくる光のうち、受圧突起３２の表面３２ａで入力キー１０方向へ反射・散乱されなかった光を、受圧突起３２の内部に進入させ、入力キー１０方向へ反射・散乱させることができる。よって入力キー１０の照光輝度を更に一段と向上させることができる。
【００３６】
なお可動接点シート３０は、ポリエチレンテレフタレート等の軟質の樹脂シートで形成することができる。また可動接点シート３０の厚みは、２０μｍ〜３００μｍとすることが望ましい。
また可動接点シート３０における導光板２０側の表面を白色に着色する着色剤としては、酸化チタンを含有する着色剤等、樹脂シートを着色する着色剤として通常用いられるものであれば如何なるものであってもよい。
【００３７】
また受圧突起３２は、熱硬化性樹脂又はＵＶ硬化性樹脂で形成することができるが、ＵＶ硬化性樹脂を用いることが望ましい。
なお熱硬化性樹脂としては、エポキシ樹脂、フェノール樹脂、シリコーン樹脂、ポリアルキルメタクリレート樹脂、ポリメタクリル樹脂、メラミン樹脂、尿素樹脂（ユリア樹脂）、不飽和ポリエステル樹脂等を用いることができるが、エポキシ樹脂、フェノール樹脂、シリコーン樹脂を用いることが望ましい。
またＵＶ硬化性樹脂としては、ＵＶ硬化性エポキシ樹脂を用いることができる。
【００３８】
また散乱材としては、無機材料、樹脂製ビーズ、気泡を用いることができる。
なお無機材料としては、酸化チタン、硫酸バリウム、酸化ケイ素、水酸化バリウム、炭酸バリウム、炭酸カルシウム、炭酸マグネシウム等を用いることができるが、酸化チタン、硫酸バリウム、酸化ケイ素を用いることが望ましい。更に好適には、酸化チタン、硫酸バリウムを用いることが望ましい。
また樹脂製ビーズとしては、スチレン系樹脂を用いることができる。
【００３９】
また受圧突起３２の形状は、本実施形態においては、水平断面を円形とし、且つ外形を、上方となる入力キー１０方向へ向かって先細に膨出する略半楕円球状とする構成としたが、必ずしもこのような構成に限るものではない。
但し受圧突起３２において、上面となる入力キー１０に対向する面の面積が、下面となる可動接点シート３０に対する接着面の面積よりも小さいものであること、また水平断面が導光板２０の貫通孔２２の水平断面と略相似形状であることが必要である。
更に受圧突起３２の表面３２ａを曲面で構成する場合は、入力キー１０方向から、可動接点シート３０方向へ向けて外側に膨らむような曲面であることが必要である。
【００４０】
例えば受圧突起３２の表面３２ａにおいて、上面を平坦とし、側面を入力キー１０方向から可動接点シート３０方向へ向けて幅広となる直線とする構成としてもよい。但しこの場合、平坦とする上面の面積は小さくすることが望ましい。
また受圧突起３２を、中央部が剛性を有する円柱で構成され、その周囲が弾性を有する透明の樹脂で構成されるものとしてもよい。このような構成とすることで、剛性を有する円柱が芯材となり、一段と良好なクリック感を実現することができると共に、入力キーの照光輝度を向上させることができる。
また受圧突起３２の水平断面を多角形とする構成であってもよいが、円形であることが望ましい。
【００４１】
前記光源４０は、導光板２０に対して光を入射させるためのものであり、例えばＬＥＤで構成することができる。この光源４０は、図３に示すように、回路基板５０上における導光板２０の光導入端面２１と対向する位置に設備される。
なお本実施形態においては、図２に示すように、光源４０を導光板２０の側面に配置し、入力キー１１〜１３を一体的に照光する構成としたが、必ずしもこのような構成に限るものではない。例えば複数の光源４０で、入力キー１１、入力キー１２、入力キー１３を別個に照光する構成とすることができる。このような構成とすることで、導光板２０全体の照光輝度の均一性を向上させることができる。
【００４２】
前記回路基板５０は、図３に示すように、プリント配線層５１と、樹脂層５２とから構成される。
【００４３】
前記プリント配線層５１は、スイッチ接点となる導電層たる回路部を備えるものであり、銅箔によるパターンを樹脂層５２上に形成することで構成される。
【００４４】
なお本発明の実施形態においては、キーモジュール２を携帯電話機１に適用する構成としたが、必ずしもこのような構成に限るものではなく、他の電子機器に適用する構成であってもよい。例えばＰＤＡ、モバイルタイプＰＣ（パーソナルコンピュータ）、携帯型ゲーム機等に適用することができる。
【実施例】
【００４５】
以下、本発明を実施例により更に詳細に説明するが、本発明はこの実施例に限定されるものではない。
【００４６】
下面の照光領域に凸状のドットからなる光出射構造部２４が形成され、更に照光領域の中央位置に直径４ｍｍの貫通孔２２を開けた、厚み０．２ｍｍのポリカーボネート製導光板２０を用意する。
表面が白色に着色され、直径３ｍｍの金属製スイッチ動作子３１を、回路基板５０（光源４０となるＬＥＤ等、電子部品実装済み）との間に挟みこんだ可動接点シート３０を用意する。
この可動接点シート３０のスイッチ動作子３１の位置に、白色顔料を含有したＵＶ硬化性エポキシ樹脂を用いて直径２ｍｍ、高さ０．４ｍｍの略半楕円球状の受圧突起３２を形成する。
回路基板５０の上に、受圧突起３２が貫通孔２２の位置に合うように、導光板２０を配置する。
更に入力キー１０を組み込んだ筐体でカバーする。
以上により、キーモジュール２が形成される。
このようなキーモジュール２においては、入力キー１０の押圧時に、良好なクリック感を実現することができると共に、誤入力を防止することができ、また入力キー１０の照光輝度（特に入力キー中央部の照光輝度）を向上させることができると共に、薄型化が可能で、汎用性の高いキーモジュールとすることができる。
【産業上の利用可能性】
【００４７】
本発明は携帯電話機等の電子機器、それに用いられるキーモジュールとして利用することができる。
【符号の説明】
【００４８】
１            携帯電話機
１ａ          入力部
１ｂ          表示部
１ｃ          ヒンジ部
１ｄ          ケース
２            キーモジュール
３            キーモジュール
１０          入力キー
１１          入力キー
１２          入力キー
１３          入力キー
２０          導光板
２１          光入射端面
２２          貫通孔
２３          下面
２４          光出射構造部
２５          上面
３０          可動接点シート
３１          スイッチ動作子
３２          受圧突起
３２ａ        表面
４０          光源
４１          照光端面
５０          回路基板
５１          プリント配線層
５２          樹脂層
【図１】
2011150804.tif 000003
【図２】
2011150804.tif 000004
【図３】
2011150804.tif 000005
【図４】
2011150804.tif 000006